(57)【要約】【課題】双方向ＣＡＴＶシステムに用いられる送受信装置において，当該送受信装置から出力される上り信号のレベルを低下させない。上記送受信装置を用いて双方向ＣＡＴＶシステムを構成する。【解決手段】センター側の接続端子と，当該接続端子に接続された，上り信号と下り信号に分波する分波フィルターと，上記上り信号用フィルターと接続すると共に，上記下り信号用フィルターと接続するように構成されたケーブルモデムと，当該ケーブルモデムと外部に設置された端末装置とを接続する少なくともひとつの端末側の接続端子と，上記下り信号用フィルターとケーブルモデムとの間に介設した，少なくとも２つの分岐出力端子を備えた分岐回路と，上記分岐出力端子の少なくともひとつに接続された，上記下り信号を受け入れるチューナと，当該チューナから出力された信号を出力する少なくともひとつの端末側の接続端子とからなる。【選択図】  図１
2005006216.tif 000002
【特許請求の範囲】
【請求項１】
双方向ＣＡＴＶシステムに用いられる送受信装置において，
当該送受信装置は，双方向ＣＡＴＶ信号を送受するためのセンター側の接続端子と，当該接続端子に接続された，上記信号を上り帯域信号と下り帯域信号に分波する上り帯域信号用フィルターと下り帯域信号用フィルターとからなる分波フィルターと，
上記上り帯域信号用フィルターと接続すると共に，上記下り帯域信号用フィルターと接続するように構成されたケーブルモデムと，
当該ケーブルモデムと外部に設置された端末装置とを接続する少なくともひとつの端末側の接続端子と，
上記下り帯域信号用フィルターとケーブルモデムとの間に介設した，少なくとも２つの分岐出力端子を備えた分岐回路と，
上記分岐出力端子の少なくともひとつに接続された，上記下り帯域信号を受け入れるチューナと，当該チューナから出力された信号を出力する少なくともひとつの端末側の接続端子と，
からなるよう構成されたことを特徴とした送受信装置。
【請求項２】
双方向ＣＡＴＶシステムに用いられる送受信装置において，
当該送受信装置は，双方向ＣＡＴＶ信号を送受するためのセンター側の接続端子と，当該接続端子に接続された，上記信号を上り帯域信号と下り帯域信号に分波する上り帯域信号用フィルターと下り帯域信号用フィルターとからなる分波フィルターと，
上記上り帯域信号用フィルターと接続すると共に，上記下り帯域信号用フィルターと接続するように構成されたケーブルモデムと，
当該ケーブルモデムと外部に設置された端末装置とを接続する少なくともひとつの端末側の接続端子と，
上記下り帯域信号用フィルターとケーブルモデムとの間に介設した，少なくともひとつの分岐出力端子を備えた分岐回路と，
上記分岐出力端子に対応するよう接続させて，上記下り帯域信号を出力する少なくともひとつの端末側の接続端子と，
からなるよう構成されたことを特徴とした送受信装置。
【請求項３】
上記下り帯域信号用フィルターと上記分岐回路との間に，下り帯域信号用の増幅回路を備えさせたことを特徴とした請求項１又は請求項２に記載の送受信装置。
【請求項４】
双方向ＣＡＴＶシステムに用いられる分配装置において，
当該分配装置は，双方向ＣＡＴＶ信号を送受するためのセンター側の接続端子と，当該接続端子に接続された，上記信号を上り帯域信号と下り帯域信号に分波する上り帯域信号用フィルターと下り帯域信号用フィルターとからなる分波フィルターと，
上記上り帯域信号用フィルターと外部に設置された端末装置とを接続する端末側の接続端子と，上記下り帯域信号用フィルターと外部に設置された端末装置とを接続する端末側の接続端子と，上記下り帯域信号用フィルターと端末側の接続端子との間に介設した，少なくともひとつの分岐出力端子を備えた分岐回路と，
上記分岐出力端子に対応させるように接続させて，上記下り帯域信号を出力する少なくとひとつの端末側の接続端子と，
からなるように構成されたことを特徴とした分配装置。
【請求項５】
請求項４に記載の分配装置において，上記下り帯域信号用フィルターと上記分岐回路との間に，下り帯域信号用の増幅回路を備えさせたことを特徴とした分配装置。
【請求項６】
請求項１の送受信装置乃至請求項３の何れかに記載の送受信装置又は請求項４若しくは請求項５に記載の何れかに記載の分配装置を用いて構成したことを特徴とした双方向ＣＡＴＶシステム。
【発明の詳細な説明】
【０００１】
【発明の属する技術分野】
本発明は，主に双方向ＣＡＴＶネットワークを使用して，ヘッドエンド装置と加入者端末との間で双方向通信を行うための双方向ＣＡＴＶシステムに関し，詳しくはその上り信号レベルの減衰が少ない双方向ＣＡＴＶシステムおよび，このシステムで使用する送受信装置ならびに，分配装置に関する。
【０００２】
【従来の技術】
従来の双方向ＣＡＴＶシステムは，双方向ＣＡＴＶネットワークを介して，複数の加入者端末装置を干渉することなく接続するために分配装置を用いて，信号を分配し，各端末装置に供給していた。（たとえば，特許文献１の従来技術参照）
ヘッドエンド装置から加入者端末への下り信号のレベルが各加入者端末でほぼ均一になるように設定されている。
【特許文献１】
特開平１０−３３６６１９号公報（図５）
【０００３】
【発明が解決しようとする課題】
しかし，上記特許文献１で開示した技術は，双方向の信号を必要とする複数の端末装置を前記分配装置を介して接続しているため，加入者端末からヘッドエンド装置に向かって出力する上り信号が前記分配装置で減衰してしまい，ヘッドエンド装置まで伝送できなくなってしまうという問題点があった。
また，前記分配装置で発生する分配損失（この場合，正しくは分配端子に供給した上り信号が入力端子に出力される際に減衰する量であるが，分配損失の量が同一であるため，単に，分配損失という）を見込んで端末装置が出力する上り信号レベルを前記分配装置で発生する分配損失の分だけ高く設定できれば問題ないが，分配装置の数や分配数が増えると，分配装置の分配損失が増大し，この損失を補うためには，端末装置を高出力レベルに対応する必要があり，端末装置のコストアップを招くことになる。
具体的には，たとえば分配装置の分配数が３の場合（３分配器）分配損失が６〜７ｄＢである。また，端末装置を，たとえばケーブルモデムとした場合，ケーブルモデムの最大出力レベルは１１７ｄＢμであり，前記分配装置の分配損失分だけ高い１２４ｄＢμ以上の出力レベルを確保する必要がある。これを実現するためには，コストアップが避けられない。
また，出力レベルアップはケーブルモデムの消費電力増大につながり，消費電力増大による発熱を放熱するためにはケーブルモデムの放熱板を大型化しなければならず，ケーブルモデム自体も大型化するという問題点もある。
一方，従来と同じ出力レベルを有するケーブルモデムを使用した場合は，ヘッドエンド装置に届く上り信号レベルも，前記分配装置の分配損失分だけ低くなるため，通信が正常に行えなえる範囲（換言するとサービスエリア）が狭くなってしまうという問題点があった。
また，従来と同じ出力レベルを有するケーブルモデムを使用した場合であっても，前記分配損失を補償するための双方向増幅器を伝送線路中に設けても良いが，上り信号を増幅する際，ヘッドエンド装置における流合雑音を防止するために，前記端末装置が上り信号を出力したときだけ上り増幅部を動作させる必要があり，一般的な双方向増幅器が使用できないという問題点があった。
【０００４】
そこで本発明は，こうした問題点に鑑み，上り信号レベルの減衰が少ない双方向ＣＡＴＶシステムを提供することを目的とする。
他の目的は，端末装置の出力レベルを低く設定できる双方向ＣＡＴＶシステムを提供することである。
他の目的は，端末装置の消費電力を低減できる双方向ＣＡＴＶシステムを提供することである。
他の目的は，端末装置を小型化できる双方向ＣＡＴＶシステムを提供することである。
他の目的は，広いサービスエリアを確保できる双方向ＣＡＴＶシステムを提供することである。
他の目的は，上り信号レベルの減衰が少ない送受信装置を提供することである。
他の目的は，端末装置の出力レベルを低く設定できる送受信装置を提供することである。
他の目的は，端末装置の消費電力を低減できる送受信装置を提供することである。
他の目的は，端末装置を小型化できる送受信装置を提供することである。
他の目的は，上り信号レベルの減衰が少ない分配装置を提供することである。
他の目的は，端末装置の出力レベルを低く設定できる分配装置を提供することである。
【０００５】
【課題を解決するための手段】
上記課題を解決するために，請求項１の発明は，双方向ＣＡＴＶシステムに用いられる送受信装置において，当該送受信装置は，双方向ＣＡＴＶ信号を送受するためのセンター側の接続端子と，当該接続端子に接続された，上記信号を上り帯域信号と下り帯域信号に分波する上り帯域信号用フィルターと下り帯域信号用フィルターとからなる分波フィルターと，上記上り帯域信号用フィルターと接続すると共に，上記下り帯域信号用フィルターと接続するように構成されたケーブルモデムと，当該ケーブルモデムと外部に設置された端末装置とを接続する少なくともひとつの端末側の接続端子と，上記下り帯域信号用フィルターとケーブルモデムとの間に介設した，少なくとも２つの分岐出力端子を備えた分岐回路と，上記分岐出力端子の少なくともひとつに接続された，上記下り帯域信号を受け入れるチューナと，当該チューナから出力された信号を出力する少なくともひとつの端末側の接続端子と，からなるよう構成される。
【０００６】
請求項２の発明は，双方向ＣＡＴＶシステムに用いられる送受信装置において，当該送受信装置は，双方向ＣＡＴＶ信号を送受するためのセンター側の接続端子と，当該接続端子に接続された，上記信号を上り帯域信号と下り帯域信号に分波する上り帯域信号用フィルターと下り帯域信号用フィルターとからなる分波フィルターと，上記上り帯域信号用フィルターと接続すると共に，上記下り帯域信号用フィルターと接続するように構成されたケーブルモデムと，当該ケーブルモデムと外部に設置された端末装置とを接続する少なくともひとつの端末側の接続端子と，上記下り帯域信号用フィルターとケーブルモデムとの間に介設した，少なくともひとつの分岐出力端子を備えた分岐回路と，上記分岐出力端子に対応するよう接続させて，上記下り帯域信号を出力する少なくともひとつの端末側の接続端子と，からなるよう構成される。
【０００７】
請求項３の発明は，請求項１又は請求項２の送受信装置において，上記下り帯域信号用フィルターと上記分岐回路との間には，下り帯域信号用の増幅回路を備えさせる。
【０００８】
請求項４の発明は，双方向ＣＡＴＶシステムに用いられる分配装置において，当該分配装置は，双方向ＣＡＴＶ信号を送受するためのセンター側の接続端子と，当該接続端子に接続された，上記信号を上り帯域信号と下り帯域信号に分波する上り帯域信号用フィルターと下り帯域信号用フィルターとからなる分波フィルターと，上記上り帯域信号用フィルターと外部に設置された端末装置とを接続する端末側の接続端子と，上記下り帯域信号用フィルターと外部に設置された端末装置とを接続する端末側の接続端子と，上記下り帯域信号用フィルターと端末側の接続端子との間に介設した，少なくともひとつの分岐出力端子を備えた分岐回路と，上記分岐出力端子に対応させるように接続させて，上記下り帯域信号を出力する少なくとひとつの端末側の接続端子と，からなるように構成される。
【０００９】
請求項５の発明は，請求項４に記載の分配装置において，上記下り帯域信号用フィルターと上記分岐回路との間には，下り帯域信号用の増幅回路を備えさせるよう構成される。
【００１０】
請求項６の発明は，上記送受信装置又は分配装置の何れかを用いて双方向ＣＡＴＶシステムを構成される。
【００１１】
【発明の実施の形態】
以下に，本発明を具体化した実施形態の１例を，図面を基に詳細に説明する。図１，は本発明に係る双方向ＣＡＴＶシステムの例を示す。
双方向ＣＡＴＶシステムの線路１には，センター側（更に詳しくはヘッドエンド装置）から加入者側へテレビジョン信号と通信信号を伝送するための下り信号（例えば７０〜７７０ＭＨｚの帯域）と加入者側からセンター側へ通信信号を伝送するための上り信号（例えば１０〜５５ＭＨｚの帯域）が伝送されている。
１０２は本発明のシステムに用いられる送受信装置（セットトップボックスとも言う）を示す。
セットトップボックス１０２は分配装置１００と分配装置１００を含む送受信装置１０１及びディジタルチューナー１７，アナログチューナー１８で構成されている。
【００１２】
本システムにおけるセットトップボックス１０２は，双方向ＣＡＴＶ信号を入力する入出力端子１１ａと，パソコン１５と接続するためのパソコン接続端子１４ｂ，テレビジョン受像機１６と接続するためのテレビジョン信号出力端子１４ｄ，１７ｂ，１８ｂ，ビデオテープレコーダ（以下ＶＴＲと表す）２０へ接続するためのＶＴＲ出力端子１９ｂを備えている。
【００１３】
次に，本案の双方向ＣＡＴＶシステムにおける下り信号の流れを説明する。セットトップボックス１０２の双方向ＣＡＴＶ信号入出力端子１ａには上記  双方向ＣＡＴＶシステムの下り信号と上り信号の２つの信号を分けるためのダイプレックスフィルタ１１が接続されている。
双方向ＣＡＴＶ信号入出力端子１ａから入力された下り信号は，ダイプレックスフィルタ１１を通過してダイプレックスフィルタ１１の下り信号出力端子１１ｃから出力され，増幅器１２，分岐分配器１３を経た後，分岐分配器１３の幹線出力端子１３ｂからケーブルモデム入力端子１４ｃに接続され，ケーブルモデム１４で信号処理後，テレビジョン信号出力端子１４ｄからテレビジョン受像機へ出力される。
また，分岐分配器１３の分配出力端子１３ｃ，１３ｄ，１３ｅから出力された下り信号は，それぞれ対応するディジタルチューナー１７，アナログチューナー１８，ＶＴＲ２０に接続され，それぞれ復調された映像，音声をテレビジョン受像機１６に出力する。
ダイプレックスフィルタ１１を通過した下り信号の内，通信用の信号は，増幅器１２，分岐分配器１３を経て分岐分配器１３の幹線出力端子１３ｂからケーブルモデム１４のケーブルモデム入力端子１４ｃに入力され，ケーブルモデム１４で復調し，信号処理されてパソコン接続端子１４ｂへ出力されパソコン１５で信号処理される。
【００１４】
次に本案の双方向ＣＡＴＶシステムにおける上り信号の流れを説明する。
パソコン１５から送られる通信用の上り信号はケーブルモデム１４のパソコン接続端子１４ｂから，ケーブルモデム１４に入力され，信号を処理された後，ケーブルモデム１４の通信信号出力端子１４ａからダイプレックスフィルタの通信信号入力端子１１ｂヘ出力される。その後，ダイプレックスフィルタ１１を経て双方向ＣＡＴＶ信号入出力端子１ａへ出力される。
【００１５】
本案実施例では，双方向ＣＡＴＶ信号の上り帯域と下り帯域とをダイプレックスフィルタ１１で分けているので，従来のように分配器で分ける方法による分配損失（６〜７ｄＢ）を略１ｄＢ以下に抑えることを可能にした。
なお，従来の分配器で分ける方法では分配する端子の数が多くなるにつれてそれぞれの端子の分配損失が増加していたが，ダイプレックスフィルタ１１を使用すれば，下り帯域の信号の分配数などに影響されることなく，上り帯域の分波損失を略１ｄＢ以下に抑えることができる。
【００１６】
上記ダイプレックスフィルタ１１は，通常ローパスフィルタとハイパスフィルタを組み合わせ構成されるが，必要に応じて帯域の異なる２つのバンドパスフィルタを組み合わせて構成しても良いし，またローパスフィルタとバンドパスフィルタの組み合わせ，ハイパスフィルタとバンドパスフィルタの組み合わせなどにより構成しても良い。
図１に示す構成にすることにより，ケーブルモデム１１から出力される上り信号のレベルを最小の損失で双方向ＣＡＴＶ線路へ送ることができるので，従来の分配器で分ける方法で必要としていたレベル補償用の高出力の増幅器（例えば出力１１７ｄＢμ）を省け，システムを簡略にでき，コストを抑えることが可能となる。
また，分配装置による分配損失（たとえば分配装置の分配数が３の場合は６〜７ｄＢ）を補償するためにケーブルモデムの出力レベルを６〜７ｄＢ上げるような変更をしなくても良いので，消費電力の増加や機器の大型化を避けることができる。
更に，出力レベルのダイナミックレンジが狭くならないので，サービスエリアを広く取ることができる。
【００１７】
なお，これまでの説明は，分配装置１００と分配装置１００を含む送受信装置１０１及びディジタルチューナー１７，アナログチューナー１８で構成されているセットトップボックスについて述べてきたが，デジタルチューナー１７，アナログチューナー１８，増幅器１２は設置の条件により，適宜組み合わせて構成しても良い。
尚，以下の説明では，上記第１の実施形態の双方向ＣＡＴＶシステムと同様の構成要素については同一符号を付与し，詳細な説明は省略する。
図２は，本発明の第２の実施例を示し，デジタルチューナー１７，アナログチューナー１８を外付けにした実施例である。
図３は，本発明の分配装置１００だけをモジュール化した実施例を示す。
また，分岐分配器１３の分配数は設置の条件により変更しても良い。
尚，本発明は上記実施の形態に限定されるものではなく，本発明の趣旨を逸脱しない範囲で種々変更して実施することも可能である。
【００１８】
【発明の効果】
以上詳述したように，請求項１の発明によれば，双方向ＣＡＴＶシステムに用いられる送受信装置において，当該送受信装置は，双方向ＣＡＴＶ信号を送受するためのセンター側の接続端子と，当該接続端子に接続された，上記信号を上り帯域信号と下り帯域信号に分波する上り帯域信号用フィルターと下り帯域信号用フィルターとからなる分波フィルターと，上記上り帯域信号用フィルターと接続すると共に，上記下り帯域信号用フィルターと接続するように構成されたケーブルモデムと，当該ケーブルモデムと外部に設置された端末装置とを接続する少なくともひとつの端末側の接続端子と，上記下り帯域信号用フィルターとケーブルモデムとの間に介設した，少なくとも２つの分岐出力端子を備えた分岐回路と，上記分岐出力端子の少なくともひとつに接続された，上記下り帯域信号を受け入れるチューナと，当該チューナから出力された信号を出力する少なくともひとつの端末側の接続端子と，からなるよう構成したので，上り信号レベルの減衰が少なく，端末装置の出力レベルを低く設定でき，消費電力を低減でき，更に小型化ができる送受信装置を提供することができる。
【００１９】
請求項２の発明によれば，双方向ＣＡＴＶシステムに用いられる送受信装置において，当該送受信装置は，双方向ＣＡＴＶ信号を送受するためのセンター側の接続端子と，当該接続端子に接続された，上記信号を上り帯域信号と下り帯域信号に分波する上り帯域信号用フィルターと下り帯域信号用フィルターとからなる分波フィルターと，上記上り帯域信号用フィルターと接続すると共に，上記下り帯域信号用フィルターと接続するように構成されたケーブルモデムと，当該ケーブルモデムと外部に設置された端末装置とを接続する少なくともひとつの端末側の接続端子と，上記下り帯域信号用フィルターとケーブルモデムとの間に介設した，少なくともひとつの分岐出力端子を備えた分岐回路と，上記分岐出力端子に対応するよう接続させて，上記下り帯域信号を出力する少なくともひとつの端末側の接続端子と，からなるよう構成したので，上り信号レベルの減衰が少なく，端末装置の出力レベルを低く設定でき，消費電力を低減でき，更に小型化ができる送受信装置を提供することができる。
【００２０】
請求項３の発明によれば，請求項１又は請求項２の送受信装置において，上記下り帯域信号用フィルターと上記分岐回路との間には，下り帯域信号用の増幅回路を備えさせたので，下り信号の減衰を低減できる送受信装置を提供することができる。
【００２１】
請求項４の発明によれば，双方向ＣＡＴＶシステムに用いられる分配装置において，当該分配装置は，双方向ＣＡＴＶ信号を送受するためのセンター側の接続端子と，当該接続端子に接続された，上記信号を上り帯域信号と下り帯域信号に分波する上り帯域信号用フィルターと下り帯域信号用フィルターとからなる分波フィルターと，上記上り帯域信号用フィルターと外部に設置された端末装置とを接続する端末側の接続端子と，上記下り帯域信号用フィルターと外部に設置された端末装置とを接続する端末側の接続端子と，上記下り帯域信号用フィルターと端末側の接続端子との間に介設した，少なくともひとつの分岐出力端子を備えた分岐回路と，上記分岐出力端子に対応させるように接続させて，上記下り帯域信号を出力する少なくとひとつの端末側の接続端子と，からなるように構成したので，上り信号レベルの減衰が少なく，出力レベルを低く設定できる分配装置を提供することができる。
【００２２】
請求項５の発明によれば，請求項４に記載の分配装置において，上記下り帯域信号用フィルターと上記分岐回路との間には，下り帯域信号用の増幅回路を備えさせるよう構成したので，下り信号の減衰を低減できる分配装置を提供することができる。
【００２３】
請求項６の発明によれば，上記送受信装置又は分配装置の何れかを用いて双方向ＣＡＴＶシステムを構成したので，
上り信号レベルの減衰が少なく，出力レベルを低く設定でき，消費電力を低減でき，小型化でき，更に，広いサービスエリアを確保できる双方向ＣＡＴＶシステムを提供することができる。
【図面の簡単な説明】
【図１】本発明に係る送受信機を用いたシステムである。
【図２】本発明に係る送受信機の第２の実施例である。
【図３】本発明に係る分配装置の実施例である。
【符号の説明】
１…双方向ＣＡＴＶ線路，１ａ…双方向ＣＡＴＶ信号入出力端子，１１…ダイプレックスフィルタ，１１ａ…双方向入出力端子，１１ｂ…通信信号入力端子，１１ｃ…下り信号出力端子，１２…増幅器，１２ａ…増幅器の入力端子，１２ｂ…増幅器の出力端子，１３…分岐分配器，１３ａ…分岐分配器１３の幹線入力端子，１３ｂ…分岐分配器１３の幹線出力端子，１３ｃ…分岐分配器１３の分配出力端子，１３ｄ…分岐分配器１３の分配出力端子，１３ｅ…分岐分配器１３の分配出力端子，１４…ケーブルモデム，１４ａ…通信信号出力端子，１４ｂ…パソコン接続端子，１４ｃ…ケーブルモデム入力端子，１４ｄ…テレビジョン信号出力端子，１５…パソコン，１５ａ…パソコンの入出力端子，１６…テレビジョン受像機，１６ａ…テレビジョン受像機入力端子，１６ｃ…テレビジョン受像機入力端子，１６ｂ…テレビジョン受像機入力端子，，１７…ディジタルチューナー，１７ａ…分配出力端子，１７ｂ…テレビジョン信号出力端子，１８…アナログチューナー，１８ａ…分配出力端子，１８ｂ…テレビジョン信号出力端子，１９…ＶＴＲ接続線路，１９ａ…分配出力端子，１９ｂ…ＶＴＲ出力端子，２０…ＶＴＲ，２０ａ…ＶＴＲ入力端子，１００…分配装置，１０１…送受信装置，１０２…セットトップボックス，１０３…センター。
【図１】
2005006216.tif 000003
【図２】
2005006216.tif 000004
【図３】
2005006216.tif 000005